(57)【要約】  【課題】  強度が高い吊持具を提供する。  【解決手段】  所定長さを有する握持部３及び該握持部３の長手方向両端部に握持部３との間に手挿通孔５を形成するようにして連設された補強部４を有する環体２と、前記補強部４に握持部３の長手方向に沿うようにして連設された２個のフック８とを有している。前記フック８の上端は、環体２に対して、握持部３の長手方向と交差する方向に偏って位置していて、環体２との間に間隙を形成している。【選択図】        図１
2006198168.tif 000002
【特許請求の範囲】
【請求項１】
所定長さを有する握持部及び該握持部の長手方向両端部に握持部との間に手挿通孔を形成するようにして連設された補強部を有する環体と、前記補強部に握持部の長手方向に沿うようにして連設された２個のフックとを有することを特徴とする吊持具。
【請求項２】
前記フックの上端は、環体に対して、握持部の長手方向と交差する方向に偏って位置している請求項１記載の吊持具。
【請求項３】
前記握持部に、握持部の長手方向と交差する方向に貫通する吊りベルト挿通用の孔が形成されている請求項１又は２記載の吊持具。
【発明の詳細な説明】
【技術分野】
【０００１】
本発明は、被吊持物に巻き掛けられた紐又は被吊持物に設けられたループ状の吊りバンドに引っ掛けて、被吊持物を搬送するのに適した吊持具に関する。
【背景技術】
【０００２】
従来の吊持具として、手で握るに適した長さの握持部と、該握持部の長手方向両端部に垂下状に連設された垂下部と、該垂下部の下端に、握持部の長手方向に沿うようにして連設された２個のフックとを有するものが知られている。
前記従来の吊持具は、被吊持物に巻き掛けられた紐に２個のフックを係合させた後、握持部を握持して吊持具を持ち上げて運搬するとにより、かばんを持ち運ぶのと同様の感覚で被吊持物を運搬することが出来るようになされたものである。
【特許文献１】なし
【発明の開示】
【発明が解決しようとする課題】
【０００３】
前記従来の吊持具は、握持部を補強する構造は有していなかった。その結果、やや重い被吊持物を吊持すると、被吊持物の荷重が直接に握持部に加わって握持部が上側に凸状に湾曲変形して、持ちにくいという欠点があった。
【０００４】
本発明は斯かる事情に鑑みてなされたものであり、主たる目的は、握持部を補強する補強部を設けることにより、前記欠点を解消した吊持具を提供することにある。
本発明の他の目的は、フックの上端が、環体に対して、握持部の長手方向と交差する方向に偏って位置するようになすことにより、フックに被吊持物を掛ける作業が行いやすい吊持具を提供することにある。
本発明の他の目的は、吊りベルトの取り付けが出来る構造にすることにより、該吊りベルトにより吊持具を所定の部材、例えばベビーカーの水平なハンドルバーに吊持させることが出来るようにして、利便性の高い吊持具を提供することにある。
【課題を解決するための手段】
【０００５】
本発明は前記目的を達成するために以下の如き手段を採用した。
第１の発明に係る吊持具は、所定長さを有する握持部及び該握持部の長手方向両端部に握持部との間に手挿通孔を形成するようにして連設された補強部を有する環体と、前記補強部に握持部の長手方向に沿うようにして連設された２個のフックとを有することを特徴とする。
第２の発明に係る吊持具は、前記フックの上端は、環体に対して、握持部の長手方向と交差する方向に偏って位置していることを特徴とする。
第３の発明に係る吊持具は、前記握持部に、握持部の長手方向と交差する方向に貫通する吊りベルト挿通用の孔が形成されていることを特徴とする。
【発明の効果】
【０００６】
第１の発明によれば、補強部により握持部を補強したものであるので、強度を従来の吊持具に比較して格段に高めることが出来る。
第２の発明によれば、フックの上端が、環体に対して、握持部の長手方向と交差する方向に偏って位置しているので、フックに被吊持物を掛ける際、環体が邪魔とならないので、フックに被吊持物を掛ける作業が行いやすい。
第３の発明によれば、吊りベルト挿通用の孔に吊りベルトを挿通して、その吊りベルトにより、吊持具を所定の部材、例えばベビーカーの水平なハンドルバーに吊持させることが出来るので、利便性を高めることが出来る。
【発明を実施するための最良の形態】
【０００７】
以下に本発明の実施の形態を説明する。
【０００８】
［第１の実施の形態］（図１〜図１０参照）
図１は本発明の吊持具１を示す一部破砕の正面図であり、図２は図１のＩＩ−ＩＩ線断面図である。図１及び図２に示すごとく、本発明の吊持具１は、手で握るに適した長さを有する握持部３を有している。該握持部３は長手方向中央部に下側に膨出した膨出部を有し、上側縁は上側に凸湾曲した縁となされ、全体としては正面視において上側に凸湾曲している。前記握持部３の長手方向両端部に補強部４が握持部３との間に手挿通孔５を形成するようにして連設されている。前記補強部４は下側に凸湾曲している。前記握持部３と補強部４とによって、正面視において横長の楕円状の環体２が構成されている。図２に示すごとく、握持部３の中央部の断面形状は、上縁が上方に凸湾曲した半円状で、図２における左右の側縁が下側に拡がったテーパー状となされ、下縁がほぼ直線状となされた断面形状となされている。図３に示すごとく、補強部４の端部の断面形状は、手挿通孔５に臨む縁がほぼ直線状であり、その他の縁が略倒Ｕ字状となる断面形状となされている。
【０００９】
前記補強部４に垂下部７が連設されており、該垂下部７の正面視における縁は、内側にくびれた湾曲状となされている。図２に示すごとく、補強部４及び垂下部７の中央部の断面形状は、上縁が直線状となされ、図２における左右の側縁の上部が直線状となされ、左右の側縁の下部が相互に近付くように上から下に向けて滑らかに曲がっており、左右の側縁の最下部は相互に滑らかに繋がるように他方に向かって湾曲してなる断面形状となされている。
【００１０】
前記垂下部７の下部に握持部３の長手方向に沿うようにして２個のフック８が連設されている。前記フック８は、正面視において垂下部７との間に上側が狭く下側において湾曲状に膨出した空間を形成している。前記フック８の上部は球状に膨出した膨出部となされ、また、フック８の上端は手挿通孔５の最下縁とほぼ同じ高さに位置している。図４に示すごとく、フック８の断面形状は横長の楕円状となされている。前記フック８の上端は、環体２に対して、握持部３の長手方向と交差する方向に偏って位置していて環体２との間に図２に示す間隙９を形成している。
【００１１】
前記握持部３に、握持部３の長手方向と交差する方向に貫通する吊りベルト１１の挿通用の孔１０が形成されている。該孔１０は正面視において扁平な長孔である。孔１０には公知の吊りベルト１１が挿通されている。吊りベルト１１は、一方の面に周知の面接合ファスナ１４の多数のループと同ループと係合する多数の係合片とが設けられたベルト本体１２と、該ベルト本体１２の一端が取り付けられた環状体１３とを有している。吊りベルト１１は、ベビーカーの水平なハンドルバー１５に以下のようにして図２に示す状態で吊持させられる。まず、環状体１３に止められていない方のベルト本体１２の端を孔１０に貫通させる。なお、その際、面接合ファスナ１４が孔１０の下側の側面に向くようにする。その後、ベルト本体１２をハンドルバー１５に巻き掛けて環状体１３に挿通し、環状体１３を通過したベルト本体１２の部分を、環状体１３を通過していないベルト本体１２の部分に押し付け、面接合ファスナ１４の作用により環状体１３を通過したベルト本体１２の部分を止めることにより、吊りベルト１１はハンドルバー１５に吊持させられる。
【００１２】
図３は図１のＩＩＩ−ＩＩＩ線端面図であり、図４は図１のＩＶ−ＩＶ線端面図である。図１〜図４に示すごとく、前記握持部３（孔１０の周縁を除く。）は、手当たりの感触をよくするため、所定厚みの軟質被覆層１８により被覆されている。また、手挿通孔５に挿通する手が補強部４に当たった場合、その衝撃を和らげることが出来るように、補強部４の上部も、所定厚みの軟質被覆層１８により被覆されている。更に、意匠的な観点から垂下部７の下部及びフック８の下部も、所定厚みの軟質被覆層１８により被覆されている。前記軟質被覆層１８が被覆される部分は、軟質被覆層１８の厚み分だけ段落ちしている。軟質被覆層１８の表面の色は黒であり、軟質被覆層１８が被覆されていない部分の表面の色は白である。軟質被覆層１８以外の素材はポリプロピレンであり、軟質被覆層１８の素材は合成ゴムである。なお、環体２、垂下部７及びフック８の素材は任意である。
【００１３】
吊持具１の形状を正確に理解出来るようにするため、図５〜図１０には吊持具１の正面図、背面図、平面図、底面図、左側面図及び右側面図が示されている。
【００１４】
［第２の実施の形態］（図１１〜図１６参照）
図１１〜図１６には、第２の実施の形態の吊持具１が示されている。該吊持具１は、軟質被覆層１８を有しておらず、全体が１種類の合成樹脂製の成形品である。その他の構成は、第１の実施の形態の吊持具１と同様であるので、第１の実施の形態の吊持具１と同一の部材を同一の符号で示して、説明は省略する。
【図面の簡単な説明】
【００１５】
【図１】本発明の第１の実施の形態を示す一部破砕の正面図である。
【図２】図１のＩＩ−ＩＩ線断面図である。
【図３】図１のＩＩＩ−ＩＩＩ線端面図である。
【図４】図１のＩＶ−ＩＶ線端面図である。
【図５】第１の実施の形態の吊持具を示す正面図である。
【図６】第１の実施の形態の吊持具を示す背面図である。
【図７】第１の実施の形態の吊持具を示す平面図である。
【図８】第１の実施の形態の吊持具を示す底面図である。
【図９】第１の実施の形態の吊持具を示す左側面図である。
【図１０】第１の実施の形態の吊持具を示す右側面図である。
【図１１】第２の実施の形態の吊持具を示す正面図である。
【図１２】第２の実施の形態の吊持具を示す背面図である。
【図１３】第２の実施の形態の吊持具を示す平面図である。
【図１４】第２の実施の形態の吊持具を示す底面図である。
【図１５】第２の実施の形態の吊持具を示す左側面図である。
【図１６】第２の実施の形態の吊持具を示す右側面図である。
【符号の説明】
【００１６】
１  吊持具
２  環体
３  握持部
４  補強部
５  手挿通孔
８  フック
【図１】
2006198168.tif 000003
【図２】
2006198168.tif 000004
【図３】
2006198168.tif 000005
【図４】
2006198168.tif 000006
【図５】
2006198168.tif 000007
【図６】
2006198168.tif 000008
【図７】
2006198168.tif 000009
【図８】
2006198168.tif 000010
【図９】
2006198168.tif 000011
【図１０】
2006198168.tif 000012
【図１１】
2006198168.tif 000013
【図１２】
2006198168.tif 000014
【図１３】
2006198168.tif 000015
【図１４】
2006198168.tif 000016
【図１５】
2006198168.tif 000017
【図１６】
2006198168.tif 000018